(57)【特許請求の範囲】
【請求項１】
マイクロホン部と、少なくとも一方の耳に装着するレシーバ部とを具備するマイクロホン付きイヤホンにおいて、前記レシーバ部は、スピーカ部とこのスピーカ部が一部露出した状態で内蔵されたボディとを具備し、当該ボディの外周縁部には、前記マイクロホン部を嵌め込むための外壁部が設けられていることを特徴とするマイクロホン付きイヤホン。
【請求項２】
請求項１記載のマイクロホン付きイヤホンにおいて、前記マイクロホン部は、振動部とボディとを具備し、前記レシーバ部のボディと前記マイクロホン部のボディとを折り畳み可能に連設したことを特徴とするマイクロホン付きイヤホン。
【請求項３】
請求項１又は２記載のマイクロホン付きイヤホンにおいて、前記レシーバ部と接続されるべき電子機器のジャックに対応したプラグを接続する第１の接続線と、前記マイクロホン部と前記プラグとを接続する第２の接続線とを具備し、前記プラグ端から、前記第１の接続線と前記第２の接続線が一体化された領域を有することを特徴とするマイクロホン付きイヤホン。
【請求項４】
請求項１、２又は３記載のマイクロホン付きイヤホンにおいて、前記マイクロホン部は薄型のコンデンサマイクロホンからなることを特徴とするマイクロホン付きイヤホン。
【発明の詳細な説明】
【０００１】
【発明の属する技術分野】
本発明は、マイクロホン付きイヤホンに関する。具体的には、携帯電話等に使用されるマイクロホンとレシーバとを具備したマイクロホン付きイヤホンの構造に関する。
【０００２】
【従来の技術】
近年、ハンドフリーの状態で携帯電話を使用できるように、レシーバ部とマイクロホン部とを具備したマイクロホン付きイヤホンが、例えば、実開平５−２０４９２号公報や実公平６−４６１１９号公報等に開示されている。
【０００３】
これらマイクロホン付きイヤホンにあってはいずれも、レシーバ部と携帯電話に接続するプラグとを接続する接続線の途中に、マイクロホン部が備えられた構造をしており、レシーバを一方の耳に装着することによって、ハンドフリーの状態で会話することができる。
【０００４】
【発明が解決しようとする課題】
しかしながら、当該マイクロホン付きイヤホンにおいては、接続線等を収納する収納ケースなどが備えられていないため、収納時には接続線を携帯電話本体に巻きつけて収納したり、あるいは、接続線をぐるぐると巻いた状態にして保管していた。このため、接続線が邪魔になり接続線が絡まったり、取扱いが乱雑になって接続線の断線等を生じやすかった。
【０００５】
かかる欠点を無くすため、接続線を巻き取り可能にしたものが、例えば、実開平６−７０３９６号公報や登録実用新案第３０１６５２１号公報等に開示されている。
【０００６】
これらのマイクロホン付きイヤホンにあっては、接続線をリールやホルダーに巻き付けて収納することができ、収納時に接続線が邪魔にならず、また、接続線の断線等を防ぐことができる。
【０００７】
しかしながら、これらの巻き付け収納可能になったマイクロホン付きイヤホンにおいても、マイクロホン部が、レシーバ部と携帯電話に接続するプラグとを接続するコードの途中に備えられていた。
【０００８】
このため、接続線をリールやホルダーに巻き付けた場合には、マイクロホン部が邪魔になり、マイクロホン部からレシーバ部までの接続線部分を十分に巻き取ることができなかった。従って、巻き取れなかった接続線が邪魔になったり、当該部分で断線等を引き起こす原因となっていた。あるいは、マイクロホン部を巻き取り可能にするために、リールケースやホルダーを大きくせざるを得ず、携帯するには不便なものとなっていた。
【０００９】
本発明は叙上の従来例の欠点に鑑みてなされたものであり、可能な限りコードを巻き取り、コンパクトに収納可能にするとともに、接続線の断線を防ぐことのできる携帯に便利なマイクロホン付きイヤホンを提供することにある。
【００１０】
【課題を解決するための手段】
本発明に係るマイクロホン付きイヤホンは、マイクロホン部と、少なくとも一方の耳に装着するレシーバ部とを具備するマイクロホン付きイヤホンであって、前記レシーバ部は、スピーカ部とこのスピーカ部が一部露出した状態で内蔵されたボディとを具備し、当該ボディの外周縁部には、前記マイクロホン部を嵌め込むための外壁部が設けられていることを特徴としている。
【００１２】
前記マイクロホン部は、振動部とボディとを具備し、前記レシーバ部のボディと前記マイクロホン部のボディとを折り畳み可能に連設するようにすることができる。
【００１７】
また、前記レシーバ部と接続されるべき電子機器のジャックに対応したプラグを接続する第１の接続線と、前記マイクロホン部と前記プラグとを接続する第２の接続線とを具備し、前記プラグ端から、前記第１の接続線と前記第２の接続線が一体化された領域を有している。
【００１８】
さらに、前記マイクロホン部は、薄型のコンデンサマイクロホンからなることが好ましい。
【００１９】
【発明の実施の形態】
図１は本発明に係る第１の実施の形態であるマイクロホン付きイヤホンの概略斜視図であって、同図（ａ）は使用状態を示す図、同図（ｂ）は収納状態を示す図、図２は本発明に係る第２の実施の形態であるマイクロホン付きイヤホンの説明図であって、同図（ａ）はマイクロホン部の側面図、同図（ｂ）はレシーバ部の背面図、図３は本発明に係る第３の実施の形態であるマイクロホン付きイヤホンの説明図であって、同図（ａ）はマイクロホン部の側面図、同図（ｂ）はレシーバ部の背面図、同図（ｃ）はレシーバ部の断面図、図４は本発明に係る第４の実施の形態であるマイクロホン付きイヤホンの説明図であって、レシーバ部の断面図、図５は本発明に係る第５の実施の形態であるマイクロホン付きイヤホンの説明図であって、同図（ａ）はマイクロホン部の背面図、同図（ｂ）はレシーバ部の背面図である。
【００２０】
また、図６は本発明に係る第６の実施の形態であるマイクロホン付きイヤホンの概略斜視図であって、同図（ａ）は使用状態を示す図、同図（ｂ）は収納状態を示す図、図７は本発明に係る第７の実施の形態であるマイクロホン付きイヤホンの概略斜視図であって、同図（ａ）は使用状態を示す図、同図（ｂ）は収納状態を示す図である。以下、各図に従って、本発明について詳細に説明する。
【００２１】
図１に示すマイクロホン付きイヤホンＡは、マイクロホン部１１０と、一方の耳に装着するレシーバ部１２０と、携帯電話等の電子機器に接続するためのプラグ１３０と、プラグ１３０とマイクロホン部１１０とレシーバ部１２０とを接続する接続線１４０とを具備している。
【００２２】
接続線１４０は、分岐部１４５から二股状になっており、第１の接続線１４１がマイクロホン部１１０とプラグ１３０とを接続し、第２の接続線１４２がレシーバ部１２０とプラグ１３０とを接続するようになっている。そして、分岐部１４５からプラグ１３０までの間は、第１の接続線１４１と第２接続線１４２とがまとめられて第３の接続線１４３となっている。
【００２３】
マイクロホン部１１０は、人の口から離された音声を取り入れるものであって、振動部１１１とボディ１１２とを具備しており、特にその形状等は限定されるものではないが、後述するようにレシーバ部１２０に嵌め込み容易なように、例えば図１に示すように丸型の平板状に作製される。また、レシーバ部１２０に嵌め込み収納させる観点等から、薄型且つ小型に作製できるものが好ましく、コンデンサマイクロホンが好適に用いられる。
【００２４】
レシーバ部１２０は、音声を出力するスピーカ部１２１と、当該スピーカ部１２１を納めるボディ１２２とを具備している。ボディ１２２は、耳に装着しても違和感がなくしかけも確実に音声が聞き取れるように、例えば軟質のプラスチック材料から作製され、スピーカ部１２１と一体成形される。当該ボディ１２２には、マイクロホン部１１０を嵌め込むための略Ｕ字形状の外壁部１２３が設けられている。当該外壁部１２３は、上記マイクロホン部１１０を嵌め込み可能な程度の高さに形成され、収納時に第２の接続線１４２を納める部分を除いて、スピーカ部１２１のほぼ全周に設けられる。
【００２５】
当該マイクロホン付きイヤホンＡにあっては、使用時には、図１（ａ）に示すようにマイクロホン部１１０をレシーバ部１２０から取り外し、レシーバ部１２０を耳に装着できる。また、収納時には、図１（ｂ）に示すようにレシーバ部１２０の外壁部１２３にマイクロホン部１１０を嵌め込み、マイクロホン部１１０をレシーバ部１２０に納めることができる。この結果、マイクロホン部１１０とレシーバ部１２０とをコンパクトに収納できる。また、第１の接続線１４１と第２の接続線１４２はほぼ平行な状態に位置され、リール等に巻き取られることが容易になり、断線等を防ぐことができる。
【００２６】
図２〜図５に示すマイクロホン付きイヤホンＢ〜Ｅは、マイクロホン部１１０及びレシーバ部１２０に、一対の着脱手段を設けたものである。
【００２７】
まず、図２に示すマイクロホン付きイヤホンＢでは、着脱手段は、マイクロホン部２１０に設けられた突起部２３０と、当該突起部２３０を嵌め込むレシーバ部２２０に設けられた凹部２４０とから構成されている。
【００２８】
レシーバ部２２０は、スピーカ部２２１とボディ２２２とを具備しており、ボディ２２２の背面に凸設された把持部２２３に、凹部２４０が設けられている。また、マイクロホン部２１０は、図示しない振動部とボディ２１２とを具備しており、ボディ２１２の背面には、突起部２３０が設けられている。また、図１に示すマイクロホン付きイヤホンＡと同様に、マイクロホン部２１０に接続された第１の接続線１４１は、レシーバ部２２０に接続された第２の接続線１４２と分岐部１４５において１本の状態に形成され、プラグ１３０に接続されている。なお、当該マイクロホン部２１０には、第１の接続線１４１の断線防止のために、ボディ２２２と第１の接続線１４１の接続部にブッシュ部２１３が形成されている。
【００２９】
この着脱手段では、突起部２３０を凹部２４０に嵌め込むことで、マイクロホン部２１０とレシーバ部２２０とを一体化している。マイクロホン部２１０とレシーバ部２２０とを一体化することによって両者をコンパクトに収納することができる。また、第１の接続線１４１と第２の接続線１４２とは、ほぼ平行な状態に位置されるので、リール等に巻き取られることが容易になり、断線等を防ぐことができる。
【００３０】
次に、図３に示すマイクロホン付きイヤホンＣでは、着脱手段は、マイクロホン部２１０のブッシュ部２１３と、当該ブッシュ部２１３を嵌め込むためにレシーバ部２２０に設けられた嵌め込み溝２５０とから構成されている。
【００３１】
前記嵌め込み溝２５０は、図３（ｃ）に示すように、把持部２２３に略平行になった一対の壁状部２５１と、この壁状部２５１の上縁部から内側に向かって軒部２５２とが一体に形成されたものである。従って、ブッシュ部２１３がこの嵌め込み溝２５０に嵌まり込むと、前記軒部２５２により、容易に抜け落ちないようになっている。
【００３２】
また、図４に示すマイクロホン付きイヤホンＤのように、把持部２２３に嵌め込み溝２５０Ｄを形成して、ブッシュ部２１３を嵌め込むようにしてもよい。このマイクロホン付きイヤホンＤにおける嵌め込み溝２５０Ｄは、上述した嵌め込み溝２５０とは違って把持部２２３に凹設されている。この方が、嵌め込み溝２５０Ｄが千切れ取れる危険性が少ない。
【００３３】
さらに、図５に示すマイクロホン付きイヤホンＥでは、着脱手段は、レシーバ部２２０に設けられた磁石２６０と、マイクロホン部２１０に設けられ、前記磁石２６０に磁着可能な部材とから構成されている。前記磁石２６０は、レシーバ部２２０の把持部２２３に埋設されている。また、マイクロホン部２１０のボディ２２２は、例えば、鉄やニッケル合金などの磁着性のある材質から作製されている。もちろん、図５に破線で示すように、マイクロホン部２１０のボディ２２２に、磁石２６０を埋設することにしてもよい。また、マイクロホン部２１０に磁石を設け、レシーバ部２２０に前記磁石に磁着する磁性体を取り付けてもよい。
【００３４】
このように、マイクロホン部２１０とレシーバ部２２０に一対の着脱手段に設けることにより、収納時には、マイクロホン部２１０とレシーバ部２２０とをコンパクトに纏めて収納できる。もちろん、凹部２４０や嵌め込み溝２５０、磁石２７０は、レシーバ部２２０に設け驍ることもできる。また、これら以外の着脱手段を用いることができるのは言うまでもない。
【００３５】
次に、図６に示すマイクロホン付きイヤホンＦにおいては、マイクロホン部３１０のボディ３１２及びレシーバ部３２０のボディ３２２にそれぞれ棒軸状の連設部３１３，３２４が備えられ、両連設部３１３，３２４は図示しないピン等によって折り畳み可能に連設されている。レシーバ部３２０のボディ３２２には、図１に示すマイクロホン付きイヤホンＡと同様に、スピーカ部３２１の周囲に略Ｕ字形状の外壁部３２３が設けられている。外壁部３２３は、上記マイクロホン部３１０が嵌合可能な程度の高さに形成され、マイクロホン部３１０の連設部３１３を納めるためにその一部が切り欠けられている。
【００３６】
また、レシーバ部３２０のボディ３２２には、レシーバ部３２０とプラグ１３０を接続する第１の接続線１４１と、マイクロホン部３１０とプラグ１３０とを接続する第２の接続線１４２とが配設されている。なお、当該第１の接続線１４１と第２の接続線１４２とは、接続線１４０として１本に纏められている。
【００３７】
特に、当該マイクロホン付きイヤホンＦにあっては、レシーバ部３２０のボディ３２２から第１の接続線１４１及び第２の接続線１４２が引き出される構造になっているため、両接続線１４１，１４２が露出されることなくリール等に巻き取り、収納できる。この結果、より一層コンパクトに収納することができるだけでなく、断線の可能性をより一層少なくできる。
【００３８】
上記各実施例にあっては、マイクロホン部３１０とレシーバ部３２０にそれぞれ第１の接続線１４１及び第２の接続線１４２が接続された構造について説明したが、本発明にあっては、従来のマイクロホン付きイヤホンのように、マイクロホン部の両側に接続線が延長された構造のものについても適用が可能である。
【００３９】
図７に示すマイクロホン付きイヤホンＧは、マイクロホン部４１０の上端より延長された接続線４４２の先端にレシーバ部４２０が設けられ、マイクロホン部４１０の下端より延長された接続線４４１の先端にプラグ４３０が設けられている。当該レシーバ部４２０は、図１のマイクロホン付きイヤホンＡとほぼ同様な構造をしており、ボディ４２２に形成された外壁部４２３にマイクロホン部４１０を嵌め込み可能になっている。また、当該外壁部４２３にあっては、収納時に接続線４４１を納めるための切り欠き４２４が、外壁部４２３の上端面に設けられている。
【００４０】
当該マイクロホン付きイヤホンＧでは、図７（ｂ）に示すように、収納時には、マイクロホン部４１０がレシーバ部４２０に嵌め込まれてコンパクトに収納される。また、マイクロホン部４１０からレシーバ部４２０まで延長された接続線４４２は、折り畳まれた状態で収納される。
【００４１】
【発明の効果】
本発明に係る請求項１のマイクロホン付きイヤホンは、マイクロホン部と、少なくとも一方の耳に装着するレシーバ部とを具備するマイクロホン付きイヤホンにおいて、前記レシーバ部は、スピーカ部とこのスピーカ部が一部露出した状態で内蔵されたボディとを具備し、当該ボディの外周縁部には、前記マイクロホン部を嵌め込むための外壁部が設けられている。このため、収納時には、マイクロホン部をレシーバ部のボディの外壁部に嵌め込んだ状態で一体に纏めることができるので、コンパクトに収納できる。
【００４３】
さらに、請求項２記載のマイクロホン付きイヤホンでは、前記レシーバ部のボディと前記マイクロホン部のボディとを折り畳み可能に連設しているので、使用時にはマイクロホン部とレシーバ部がバラバラとならず、収納時にはボディを折り畳むことにより簡単にマイクロホン部とレシーバ部とを一体と纏めることができる。
【００４６】
さらに、請求項３記載のマイクロホン付きイヤホンでは、前記レシーバ部と接続されるべき電子機器のジャックに対応したプラグを接続する第１の接続線と、前記マイクロホン部と前記プラグとを接続する第２の接続線とを具備し、前記プラグ端から、前記第１の接続線と前記第２の接続線が一体化された領域を有しているので、プラグ側からリール等に巻き取らせることができ、接続線が邪魔にならないよう、コンパクトに収納することができる。特に、マイクロホン部とレシーバ部とは一体に纏められるので、マイクロホン部及び／又はレシーバ部の接続部まで、両接続線を巻き取ることができ、接続線が邪魔にならないように収納できる。この結果、両接続線の断線がより少なくなる。
【００４７】
さらに、請求項４記載のマイクロホン付きイヤホンでは、前記マイクロホン部は、薄型のコンデンサマイクロホンからなるので、マイクロホン部が小型化され、レシーバ部が大きくならずに済む。
【図面の簡単な説明】
【図１】本発明に係る第１の実施体形態であるマイクロホン付きイヤホンの概略斜視図であって、同図（ａ）は使用状態を示す図、同図（ｂ）は収納状態を示す図である。
【図２】本発明に係る第２の実施の形態であるマイクロホン付きイヤホンの説明図であって、同図（ａ）はマイクロホン部の側面図、同図（ｂ）はレシーバ部の背面図である。
【図３】本発明に係る第３の実施の形態であるマイクロホン付きイヤホンの説明図であって、同図（ａ）はマイクロホン部の側面図、同図（ｂ）はレシーバ部の背面図、同図（ｃ）はレシーバ部の断面図である。
【図４】本発明に係る第４の実施の形態であるマイクロホン付きイヤホンの説明図であって、レシーバ部の断面図である。
【図５】本発明に係る第５の実施の形態であるマイクロホン付きイヤホンの説明図であって、同図（ａ）はマイクロホン部の背面図、同図（ｂ）はレシーバ部の背面図である。
【図６】本発明に係る第６の実施の形態であるマイクロホン付きイヤホンの概略斜視図であって、同図（ａ）は使用状態を示す図、同図（ｂ）は収納状態を示す図である。
【図７】本発明に係る第７の実施の形態であるマイクロホン付きイヤホンの概略斜視図であって、同図（ａ）は使用状態を示す図、同図（ｂ）は収納状態を示す図である。
【符号の説明】
１１０  マイクロホン部
１２０  レシーバ部
１２２  レシーバ部のボディ
１２３  外壁部
１３０  プラグ
１４０  接続線
１４１  マイクロホン部とプラグとを接続する第１の接続線
１４２  レシーバ部とプラグとを接続する第２の接続線
１４５  第１の接続線と第２の接続線との分岐部
２１０  マイクロホン部
２１３  ブッシュ部
２２０  レシーバ部
２３０  着脱手段である突起部
２４０  着脱手段である凹部
２５０  ブッシュ部を嵌め込む嵌め込み溝
２６０  磁石
３１０  マイクロホン部
３１３  マイクロホン部の連設部
３２０  レシーバ部
３２３  レシーバ部の連設部
４１０  マイクロホン部
４１３  外壁部
４２０  レシーバ部
４２４  プラグ側に延長された接続線を納める切り欠き
【図１】
0003557336.tif 000002
【図２】
0003557336.tif 000003
【図３】
0003557336.tif 000004
【図４】
0003557336.tif 000005
【図５】
0003557336.tif 000006
【図６】
0003557336.tif 000007
【図７】
0003557336.tif 000008